(57)【要約】      （修正有）【課題】電子体温計の熱伝導構造とそれが用いられる体温計に関し、特に、完全に検知物表面に接触でき、切断防止、強固着力、熱バランスがよい等の効果を有させる。【解決手段】熱伝導構造が体温計１０の検知端１２に設置され、上記検知端に凹状の収納空間５１が設けられ、収納空間に温度センサー３０、リード４０、蓋状の金属接触部６０が所定の接触長さで収納空間に嵌め込まれることにより、接触部に温度検知の接触面積を大きくさせ、露出長さを小さくさせる特徴を有させ、完全に検知物表面に接触でき、切断防止、強固着力、熱バランスがよい等の効果を持ち、熱伝熱構造が用いられる体温計は体温計の検知端を所定角度に曲げることが可能であり、或いは接触部が使用場合によって検知端のいずれかの一端に設置されることにより、完全に接触される温度検知熱伝熱効果を得ることを特徴とする電子体温計の熱伝導構造とそれが用いられる体温計。【選択図】図２
2007024858.tif 000002
【特許請求の範囲】
【請求項１】
電子体温計の熱伝熱構造は体温計の検知端に設置され、収納空間にセンサー、リードが設けられる検知端と、金属リード材料からなるカーブ状の蓋があり、所定の接触長さで収納空間に嵌め込まれ、接触部の上端面を検知端面よりも高い位置にさせる接触部とを含み、完全に検知物表面に接触し、切断防止、強固着力、熱バランスがよい等の効果があることを特徴とする電子体温計の熱伝熱構造。
【請求項２】
接触部の上端面積と接触部及び検知端の接合面積の割合が≧２：３であることを特徴とする請求項１に記載の電子体温計の熱伝熱構造。
【請求項３】
接触部が検知端に嵌め込まれる平均長さと、接触部が検知端表面に露出される平均長さの割合が≧３：２であることを特徴とする請求項１に記載の電子体温計の熱伝熱構造。
【請求項４】
温度センサーが接触部の内部壁に当接されることを特徴とする請求項１に記載の電子体温計の熱伝熱構造。
【請求項５】
リードが接触部の内部壁に当接されることを特徴とする請求項１に記載の電子体温計の熱伝熱構造。
【請求項６】
検知端に支持ピンがあり、かつ、接触部に嵌め込まれるための凹状収納空間が設けられることを特徴とする請求項１に記載の電子体温計の熱伝熱構造。
【請求項７】
収納空間にリング状の凸部が設置され、収納空間と凸部の間に嵌め込むための溝が形成されることを特徴とする請求項６に記載の電子体温計の熱伝熱構造。
【請求項８】
支持ピンの底部にリードを穿設するための孔が設けられることを特徴とする請求項６に記載の電子体温計の熱伝熱構造。
【請求項９】
支持ピンの片側に体温計本体の検知端に固着するための突起の係止部が設けられることを特徴とする請求項６に記載の電子体温計の熱伝熱構造。
【請求項１０】
熱伝熱構造を体温計の検知端に設置し、上記熱伝熱構造は収納空間にセンサー、リードが設けられる検知端と、金属熱伝導材料からなるカーブ状の蓋があり、所定の接触長さで収納空間に嵌め込まれ、接触部の上端面を検知端面よりも高い位置にさせる接触部とを含む熱伝熱構造が用いられる体温計であって、体温計の検知端を所定角度に曲げることが可能であり、完全に接触される温度検知熱伝熱効果を得ることを特徴とする熱伝熱構造が用いられる体温計。
【請求項１１】
接触部が使用場合によって検知端のいずれかの一端に設置されることを特徴とする請求項１に記載の熱伝熱構造が用いられる体温計。
【請求項１２】
接触部が使用場合によって検知端のいずれかの一端に設置されることを特徴とする請求項１０に記載の熱伝熱構造が用いられる体温計。
【発明の詳細な説明】
【技術分野】
【０００１】
本発明は電子体温計の熱伝導構造とそれが用いられる体温計に関し、特に、熱伝導構造の接触部が蓋状になっており、かつ体温計の検知端の収納空間に嵌め込まれることによって接触部に温度検知の接触面積を大きくさせ、露出長さを小さくさせる特徴を有させ、完全に検知物表面に接触でき、切断防止、強固着力、熱バランスがよい等の効果を持ち、熱伝熱構造が用いられる体温計は体温計の検知端を所定角度に曲げることが可能であり、或いは接触部が使用場合によって検知端のいずれかの一端に設置されることにより、完全に接触される温度検知熱伝熱効果を得ることに関する。
【背景技術】
【０００２】
従って、電子体温計が発明される前は、水銀体温計が人の体温を測る際、普遍的に使用されており、人々は水銀が温められると自然に膨張し、冷やされると自然に収縮する原理を応用して、水銀体温計を作った。体温測定の過程で、水銀体温計の温度検知の突き出し部（すなわち水銀槽）が温められると自然に膨張し、その膨張した水銀はガラス管の中の毛細管内に押し出され、このとき、使用者は外部に刻み込まれた目盛りに示された結果を読むことができる。しかし近年来、水銀の高度汚染により、電子技術を利用して温度を測定する電子温度計が時運に応じて現れ、すでに昔の高度汚染の水銀体温計に取って代わってきている。
【０００３】
従来の電子体温計の構造は内部に温度検知回路板が設けられ、表面に温度を見ることができる表示窓が設置されている体温計、及び体温計の検知端上に覆われた金属先端部、金属先端部の中に設けられ、温度検知回路板に接続させる為のリードが設けられたセンサーを含む。しかし金属先端部は表面が完全に露出したまま体温計の検知端上に固定されるので、少なくとも以下の欠点が挙げられる。
１．        
金属先端部が容易く切断、脱落する。
２．      
金属先端部表面の露出している長さが体温計の検知端上の長さより      大きいため、物理原理に基づく固定力が劣る。
３．      
金属先端部が筒状に形成されているので、上端の温度検知する際の接触面積が小さくなり、熱バランス効果が劣る。
【０００４】
また従来の電子体温計の形状はいかなる角度にも変化しないので、人の脇の温度を測定する際、手で握り持つことは不自由で、且つ金属先端部は完全に接触される温度検知熱伝熱効果を図れない。
【０００５】
前記の従来の電子体温計の欠点に鑑みて、本発明者は長年製品の設計開発の実務経験を持ち、無数の具体的な設計、実験を経て、本発明に至った。
【発明の開示】
【発明が解決しようとする課題】
【０００６】
本発明は、完全に接触される温度検知熱伝熱効果を有する電子体温計の熱伝導構造を提供することを目的（１）とする。熱伝導構造は体温計の検知端に設置され、上記検知端に凹状の収納空間が設けられ、収納空間に温度センサー、リードが設けられ、金属リード材料からなるカーブ状の蓋があり、所定の接触長さで収納空間に嵌め込まれることにより、接触部に温度検知の接触面積を大きくさせ、露出長さを小さくさせる特徴を有させ、完全に検知物表面に接触でき、切断防止、強固着力、熱バランスがよい等の効果を持たせることができる。
【課題を解決するための手段】
【０００７】
本発明は、手軽に脇の温度を測定することのできる電子体温計を提供することを目的（２）とする。熱伝導構造は体温計の検知端を所定角度に曲げることが可能であり、或いは接触部が使用場合によって検知端のいずれかの一端に設置されることにより、手軽に握り持つことができ、完全に接触される温度検知熱伝熱効果を得ることができる。
【発明を実施するための最良の形態】
【０００８】
図１，図２，図３に示すように、本発明の熱伝導構造は電子体温計１上に設置され、上記電子体温計１の構造は、温度表示をすることができる表示窓１１が表面上に設けられ、熱伝導構造を有する検知端１２が一端に設置され、そのもう一端に防水効果を備えた取り外し可能な蓋１３が設けられた温度計１と、体温計１０内部に収容され、誘導回路と電子素子に関係するものが設けられ、温度信号を表示する表示モニター２１が設置されたユニット２０と、温度を検知するための温度センサー３０と、温度センサー３０が検知する温度信号をユニット２０に伝達し、正確な温度データを演算するために、一端が温度センサーと接続され、もう一端はユニット２０に接続されたリード４０を含む。
【０００９】
熱伝導構造は、凹状収納空間が設けられ、収納空間５１にリング状の凸部５２が設置され、収納空間５１と凸部５２の間に嵌め込むための溝５３が形成され、リード４０を穿設するための孔５４が設けられ、片側に体温計本体１０の検知端１２に固着するための突起の係止部５５が設けられた支持ピンと、金属熱伝導材料からなるカーブ状の蓋があり、人体工学の皮膚接触に合うように貼り付け方式を用いて支持ピン５０の溝５３に嵌め込み固定するための接触部６０を含む。このように所定の接触長さで支持ピン５０の収納空間５１に嵌め込まれることにより、接触部に温度検知の接触面積を大きくさせ、露出長さを小さくさせる特徴を有させる。本考案の最適な実施例は、接触部６０の上端面積と接触部６０及び検知端５０の接合面積の割合が≧２：３であり、接触部６０が嵌め込まれる支持ピン５０の平均長さL１と、接触部６０が支持ピン５０表面に露出される平均長さL２の割合が≧３：２である。
【００１０】
温度検知した熱エネルギーを伝熱するために、前記温度センサー３０とリード４０が接触部６０の内部壁に当接され、温度センサー３０は貼り付け方式（例えば熱伝導係数が高いコロイドを少量或いはコロイド金属の薄紙または発砲スチロールのような熱伝導係数が低い充填物質を用いる）を用いて接触部６０の内部壁６０に固定される。
【００１１】
前記の部材は接触部６０の温度検知面積が大きいために、完全に検知物（例えば脇の下）に接触することができ、また接触部６０が嵌め込まれる支持ピン５０の長さは接触部６０が支持ピン５０表面に露出される長さよりも大きいので、切断の防止及び固定力を増強することが可能である。
【００１２】
図４に示すように、本発明の熱伝導構造が用いられる体温計１０の検知端１２は所定角度に曲げることができるので、手軽に握り持つことができ、完全に接触される温度検知熱伝熱効果を得ることができる。
【００１３】
図５に示すように、本発明の支持ピン５０ａが体温計１０と一体成型されることにより、体温計１０の一部となる。
【００１４】
図６、図７に示すように、本発明の体温計１０ａ、１０ｂの検知端１２ａ、１２ｂは使用時の予測が可能なので、所定の角度に曲げられた設計をする必要がなく、所定のカーブを持たせればいいだけである。接触部６０ａ、６０ｂは使用場合によって検知端１２ａ、１２ｂのいずれかの一端に設置されることにより、完全に接触される温度検知熱伝熱効果を得ることができる。接触部６０の形状は楕円形か長方形である。
【００１５】
図８、図９に示すように、本発明の体温計１０ｃ、１０ｄは様々な形状であり、接触部６０ｃ、６０ｄは使用場合によって検知端１２ｃ、１２ｄの端部に設置されることにより、完全に接触される温度検知熱伝熱効果を得ることができる。接触部６０ｃ、６０ｄの形状は楕円形か長方形である。
【００１６】
前記のことから、本発明の熱伝導構造の接触部は嵌め込み方式により、体温計の検知端の収納空間に固定され、温度検知の接触面積を大きくさせ、露出長さを小さくさせる特徴を有させ、完全に検知物表面に接触でき、切断防止、強固着力、熱バランスがよい等の効果を持ち、熱伝熱構造が用いられる体温計は体温計の検知端を所定角度に曲げることが可能であり、或いは接触部が使用場合によって検知端のいずれかの一端に設置されることにより、完全に接触される温度検知熱伝熱効果を得ることができる。
【図面の簡単な説明】
【００１７】
【図１】本発明に係る傾斜図。
【図２】本発明に係る傾斜分解図。
【図３】本発明に係る熱伝熱構造、検知端の組合断面図。
【図４】本発明に係る使用する際の実施例図。
【図５】本発明に係る熱伝熱構造と、検知端の組合の別の構造の実施例断面図。
【図６】本発明に係る別の構造の実施例図。
【図７】本発明に係る他の構造の実施例図。
【図８】本発明に係るその他の構造の実施例図。
【図９】本発明に係るこれ以外の構造の実施例図。
【符号の説明】
【００１８】
１０ａ、１０ｂ、１０ｃ、１０ｄ    体温計
６０ｃ、６０ｄ    接触部
１２ｃ、１２ｄ    検知端
５０ａ    支持ピン
６０    接触部
３０    温度センサー
５５  係止部
５３  溝
５０  検知端
４０  リード
５４  孔
５１  収納空間
５２  リング状の凸部
２０  ユニット
２１  表示モニター
１  温度計
１３  蓋
【図１】
2007024858.tif 000003
【図２】
2007024858.tif 000004
【図３】
2007024858.tif 000005
【図４】
2007024858.tif 000006
【図５】
2007024858.tif 000007
【図６】
2007024858.tif 000008
【図７】
2007024858.tif 000009
【図８】
2007024858.tif 000010
【図９】
2007024858.tif 000011